(57)【要約】【課題】サッシを構成する内外の障子を容易に判別でき、かつ需要家において廃棄物を発生させることのない建具部材の梱包構造、及びそれを用いた輸送方法を提供する。【解決手段】サッシを構成する複数の建具部材を梱包用緩衝材１により位置決め固定すると共に、テープ体２により各建具部材を結束してなる建具部材の梱包構造において、建具部材は複数の枠体または障子を構成する部材からなり、梱包用緩衝材１は平板状からなると共に、各建具部材を保持する取付部３１をそれぞれ切欠いてなり、各建具部材は枠体または障子ごとに略平行に配置して建具部材群６、７を構成し、各建具部材群６、７は互いに隣接して配置し、梱包用緩衝材１は複数の建具部材群６、７を取付部３１に保持して位置決め固定すると共に、テープ体２は各建具部材群６、７をそれぞれに結束してなる。【選択図】図１
2005053566.tif 000002
【特許請求の範囲】
【請求項１】
サッシを構成する複数の建具部材を梱包用緩衝材により位置決め固定すると共に、テープ体により各建具部材を結束してなる建具部材の梱包構造において、
上記建具部材は複数の枠体または障子を構成する部材からなり、上記梱包用緩衝材は平板状からなると共に、上記各建具部材を保持する取付部をそれぞれ切欠いてなり、
上記各建具部材は枠体または障子ごとに略平行に配置して建具部材群を構成し、該各建具部材群は互いに隣接して配置し、
上記梱包用緩衝材は上記複数の建具部材群を上記取付部に保持して位置決め固定すると共に、上記テープ体は各建具部材群をそれぞれに結束してなることを特徴とする建具部材の梱包構造。
【請求項２】
上記建具部材群はそれぞれ引違い障子を構成する上下框と左右の縦框を備え、一方の障子の上記上下框はその端面を他方の障子の上記上下框の端面と対向させて長手方向に連設配置し、かつ上記各左右の縦框は上記各上下框を挟んで略平行となるように上記建具部材群を隣接して配置することを特徴とする請求項１記載の建具部材の梱包構造。
【請求項３】
上記梱包用緩衝材はいずれか一方の障子の上下框を保持する凹状取付部をそれぞれ中央部に形成すると共に、該凹状取付部の両側の周縁部には各障子の左右縦框を保持するＬ字状取付部をそれぞれ形成してなることを特徴とする請求項２記載の建具部材の梱包構造。
【請求項４】
上記建具部材は上記各左右の縦框の中間に設けられる中桟をそれぞれ有し、該中桟は上記上下框と略平行に配置して建具部材群を構成することを特徴とする請求項２または３記載の建具部材の梱包構造。
【請求項５】
上記テープ体は上記複数の建具部材群を両方結束する全結束テープ体を備えることを特徴とする請求項１〜４のいずれか１項に記載の建具部材の梱包構造。
【請求項６】
上記梱包用緩衝材は発泡性の樹脂材からなると共に、上記テープ体は面ファスナからなることを特徴とする請求項１〜５のいずれか１項に記載の建具部材の梱包構造。
【請求項７】
サッシを構成する複数の建具部材を位置決め固定して梱包構造を形成し、該梱包構造をパレット基部に棚構成部材を設けてなるパレットに納めて輸送する建具部材の輸送方法において、
上記各建具部材の長手方向に平板状からなり取付凹部を有した梱包用緩衝材を複数配置して位置決めし、各建具部材をテープ体により結束することで梱包構造を形成し、該梱包構造を上記パレットの各棚構成部材上に戴置すると共に、その状態でパレットごと輸送することを特徴とする建具部材の輸送方法。
【発明の詳細な説明】
【技術分野】
【０００１】
本発明は複数の建具部材を梱包する梱包構造に係るもので、特に建具部材を保持する梱包用緩衝材を複数設けて梱包する梱包構造に関し、さらにこの梱包構造を用いた輸送方法に関する。
【背景技術】
【０００２】
従来から、サッシを構成する複数の建具部材を、一つの窓ごとに一まとめとして梱包し、輸送することが行われている。工場で梱包された建具部材を需要家まで搬送する際に、建具部材同士が接触してその表面が傷つくことを防止するため、各建具部材の間に緩衝材を挟むようにしている。この緩衝材は、例えば段ボールを厚みを持った板材として形成し、その板材に各建具部材を取付けることのできる凹部を設けてなるものである。
【０００３】
このような緩衝材を建具部材の長手方向に数カ所設けて、建具部材を保持固定すると共に、さらに樹脂フィルム等を巻き付けて包装し、更に段ボールケースで梱包する。このような建具部材の梱包構造としては例えば特許文献１や特許文献２に挙げるようなものがある。
【特許文献１】特開２００２−２７４５７０号公報
【特許文献２】特開平３−５６２７４号公報
【発明の開示】
【発明が解決しようとする課題】
【０００４】
しかし、従来の建具部材の梱包構造は以下に述べる問題点を有していた。複数の枠体または障子を納めるサッシ、例えば内外の障子を納めるサッシにおいては、複数の障子を構成する建具部材を１つに梱包する。しかし需要家において梱包を解体する際に、各建具部材がいずれの障子を構成するものであるかは判別しづらく、需要家における作業性を悪化させていた。
また、従来の緩衝材は段ボールからなり、さらに樹脂フィルム等で緩衝材により保持固定した建具部材を段ボールケースで包装していたため、需要家において廃棄物が大量に発生することとなっていた。
【０００５】
本発明は、上記従来の問題点に鑑みてなされたものであり、サッシを構成する複数の枠体または障子を容易に判別でき、かつ需要家において廃棄物を発生させることのない建具部材の梱包構造、及びそれを用いた輸送方法を提供することを目的とする。
【課題を解決するための手段】
【０００６】
上記課題を解決するため、本発明に係る建具部材の梱包構造は、サッシを構成する複数の建具部材を梱包用緩衝材により位置決め固定すると共に、テープ体により各建具部材を結束してなる建具部材の梱包構造において、
上記建具部材は複数の枠体または障子を構成する部材からなり、上記梱包用緩衝材は平板状からなると共に、上記各建具部材を保持する取付部をそれぞれ切欠いてなり、
上記各建具部材は枠体または障子ごとに略平行に配置して建具部材群を構成し、該各建具部材群は互いに隣接して配置し、
上記梱包用緩衝材は上記複数の建具部材群を上記取付部に保持して位置決め固定すると共に、上記テープ体は各建具部材群をそれぞれに結束してなることを特徴として構成されている。
【０００７】
また、本発明に係る建具部材の梱包構造は、上記建具部材群はそれぞれ引違い障子を構成する上下框と左右の縦框を備え、一方の障子の上記上下框はその端面を他方の障子の上記上下框の端面と対向させて長手方向に連設配置し、かつ上記各左右の縦框は上記各上下框を挟んで略平行となるように上記建具部材群を隣接して配置することを特徴として構成されている。
【０００８】
さらに、本発明に係る建具部材の梱包構造は、上記梱包用緩衝材はいずれか一方の障子の上下框を保持する凹状取付部をそれぞれ中央部に形成すると共に、該凹状取付部の両側の周縁部には各障子の左右縦框を保持するＬ字状取付部をそれぞれ形成してなることを特徴として構成されている。
【０００９】
さらにまた、本発明に係る建具部材の梱包構造は、上記建具部材は上記各左右の縦框の中間に設けられる中桟をそれぞれ有し、該中桟は上記上下框と略平行に配置して建具部材群を構成することを特徴として構成されている。
【００１０】
そして、本発明に係る建具部材の梱包構造は、上記テープ体は上記複数の建具部材群を両方結束する全結束テープ体を備えることを特徴として構成されている。
【００１１】
また、本発明に係る建具部材の梱包構造は、上記梱包用緩衝材は発泡性の樹脂材からなると共に、上記テープ体は面ファスナからなることを特徴として構成されている。
【００１２】
さらに、本発明に係る建具部材の輸送方法は、サッシを構成する複数の建具部材を位置決め固定して梱包構造を形成し、該梱包構造をパレット基部に棚構成部材を設けてなるパレットに納めて輸送する建具部材の輸送方法において、
上記各建具部材の長手方向に平板状からなり取付凹部を有した梱包用緩衝材を複数配置して位置決めし、各建具部材をテープ体により結束することで梱包構造を形成し、該梱包構造を上記パレットの各棚構成部材上に戴置すると共に、その状態でパレットごと輸送することを特徴として構成されている。
【発明の効果】
【００１３】
本発明に係る建具部材の梱包構造によれば、建具部材は枠体または障子ごとに略平行に配置して建具部材群を構成し、それら複数の建具部材群を梱包用緩衝材により保持すると共に、各建具部材群をそれぞれテープ体にて結束したことにより、需要家にて梱包構造を解体する際に、枠体または障子ごとに結束を外していくことができ、どの枠体または障子を構成する建具部材であるかを容易に判別することができる。したがって、需要家における作業を効率的にすることができる。
【００１４】
特に、引き違い障子を梱包する場合には、内障子用の框と外障子用の框とをそれぞれ独立して結束しているので、需要家において内外の障子を容易に判別することができる。また、上下框及び縦框だけからなる障子に限られず、中桟を有する障子であっても、同様に適用することができる。
【００１５】
さらに、本発明に係る建具部材の梱包構造によれば、テープ体は２つの建具部材群を両方結束する全結束テープ体を備えることにより、テープ体による建具部材の結束をより強固にすることができる。なお、この場合に梱包構造を解体する際は、全結束テープ体を外した後でそれぞれの建具部材群を結束するテープ体を外すことで、それぞれの枠体または障子ごとに作業を進めることができる。
【００１６】
さらにまた、本発明に係る建具部材の梱包構造によれば、梱包用緩衝材は発泡性の樹脂材からなり、テープ体は面ファスナからなるので、いずれも再利用が可能であり、廃棄する部分がないので、需要家にて廃棄物を発生させることがない。
【００１７】
そして、本発明に係る建具部材の輸送方法によれば、建具部材を梱包用緩衝材とテープ体により梱包し、段ボールケースによる梱包をせず、それをパレットに設けられた棚構成部材上に戴置し、その状態でパレットごと輸送することにより、梱包用資材を全て再利用することができるので、廃棄物を発生させることなく建具部材を輸送することができる。
【発明を実施するための最良の形態】
【００１８】
本発明の実施形態について、図面に沿って詳細に説明する。図１は本実施形態における建具部材の梱包構造の平面図である。また、図２は本実施形態における建具部材の梱包構造の断面図である。これら各図において、本実施形態における建具部材は、縦長状の引き違い障子を納めたサッシにおける、外障子と内障子をそれぞれ構成する框である。したがって、本実施形態における梱包構造は、２組の障子を構成する框を位置決め固定し、そのまま輸送できる状態に梱包するものである。
【００１９】
外障子を構成する外障子構成框４は、外上框１０と外下框１１、外縦框１２及び外召合框１３からなっている。図１に示すように、外上框１０と外下框１１は、外縦框１２及び外召合框１３よりも短く、したがってこれらを框組みした際には、縦長の長方形状からなる障子が形成される。
【００２０】
同様に、内障子を構成する内障子構成框５は、内上框２０と内下框２１、内縦框２２及び内召合框２３からなっている。そして内上框２０と内下框２１は、内縦框２２及び内召合框２３よりも短く、したがってこれらを框組みした際には、縦長の長方形状からなる障子が形成される。これら外障子構成框４及び内障子構成框５は、断面中空状からなるアルミの押出型材と、框組みした際に室内側に露出する部分に配設される樹脂部材とからなっている。ただし、框材としてはこれに限られず、全てアルミの押出型材からなるものであってもよい。
【００２１】
まず、外障子構成框４の配置について説明する。図１に示すように、外上框１０と外下框１１は略同じ長さであり、これらが略平行となるように並列配置される。そして、外縦框１２と外召合框１３は、それらの長手方向略半分が外上框１０と外下框１１に係るように、略平行に並列配置される。また、図２の断面図に示すように、外縦框１２と外召合框１３は、上下２段に配置される。外障子構成框４をこのように配置して、外建具部材群６を構成しており、図１の平面視においては略Ｌ字状となるように配置される。
【００２２】
次に、内障子構成框５の配置について説明する。内障子構成框５の配置は、外障子構成框４の配置に対し対称であって、隣接するようになされることにより、内建具部材群７を構成する。図１に示すように、内上框２０はその端面２０ａが外下框１１の端面１１ａと対向し、内下框２１はその端面２１ａが外上框１０の端面１０ａと対向するようにそれぞれ長手方向に連設されると共に、内上框２０と内下框２１が略平行となるように並列配置される。
【００２３】
そして、内縦框２２と内召合框２３は、それらの長手方向略半分が内上框２０と内下框２１に係り、残りの略半分が外上框１０と外下框１１に係るように、略平行に並列配置される。また、図２の断面図に示すように、内縦框２２と内召合框２３は、上下２段に配置される。したがって、内障子と外障子の両縦框及び召合框は、互いに対向するように配置された各障子の上下框を挟むように平行配置される。内障子構成框５をこのように配置して、内建具部材群７を構成しており、図１の平面視においては略Ｌ字状となるように、かつ外建具部材群６と相対するように配置される。
【００２４】
このように配置された外障子構成框４及び内障子構成框５は、その長手方向数カ所に設けられる梱包用緩衝材１により、位置決めされ固定される。梱包用緩衝材１は、方形板材３０からなり、それに各建具部材を納めるための取付部３１を切欠いて設けてなるものである。この梱包用緩衝材１は、発泡性の樹脂材からなり、建具部材の輸送には何度でも繰返し使用できるものである。発泡性の樹脂材としては、１０倍発泡ポリエチレン等がある。
【００２５】
梱包用緩衝材１の取付部３１は、外障子構成框４及び内障子構成框５を構成する各建具部材に略適合した形状に形成される。これらの建具部材のうち、外上框１０と外下框１１または内上框２０と内下框２１を保持するのは、梱包用緩衝材１の中央部に形成された略コ字状の凹状取付部３１ａである。一方、外縦框１２と外召合框１３、及び内縦框２２と内召合框２３を保持するのは、梱包用緩衝材１の周縁部に形成されたＬ字状取付部３１ｂである。これら各取付部３１は、各建具部材が上述した配置となるようにそれぞれ梱包用緩衝材１に配置される。したがって、凹状取付部３１ａは、方形板材３０の中央部に設けられ、またＬ字状取付部３１ｂは、凹状取付部３１ａの両側であって、方形板材３０における周縁部に設けられる。
【００２６】
梱包用緩衝材１により位置決め固定された各建具部材をさらに強固に固定しておくために、テープ体２により複数の建具部材を結束する。テープ体２は合成繊維等からなる面ファスナであって、表面に繊維の突起が多数設けられている。この表面同士を当接させることにより、テープ体２の長手方向にかかる引張り力に対して固定することができ、したがって固定した建具部材を結束しておくことができる。また、このテープ体２は面ファスナからなることにより、建具部材の輸送に何度でも繰返し使用できるものである。
【００２７】
テープ体２は、図１に示すように外建具部材群６のみを結束する外建具部材用テープ体２ａと、内建具部材群７のみを結束する内建具部材用テープ体２ｂとをそれぞれ設ける。さらに、外建具部材群６と内建具部材群７のいずれも結束する全結束テープ体３を設ける。本実施形態では、外建具部材用テープ体２ａと内建具部材用テープ体２ｂとをそれぞれ１つずつ設け、全結束テープ体３は外上下框１０、１１と内外縦框１２、２２及び内外召合框１３、２３に係るように１つ設けると共に、内上下框２０、２１と内外縦框１２、２２及び内外召合框１３、２３に係るように１つ設けている。ただし、これには限られず、各建具部材の長手方向適所にもっと多数設けるようにしてもよい。
【００２８】
このようにテープ体２により結束された建具部材の梱包構造を解体する際には、まず全結束テープ体３を外す。すると、外建具部材用テープ体２ａにより結束された外建具部材群６と内建具部材用テープ体２ｂにより結束された内建具部材群７とが、それぞれ独立して結束された状態となる。また、梱包用緩衝材１は縦框と召合框をＬ字状取付部３１ｂにより保持しているので、全結束テープ体３を外した状態では外建具部材群６と内建具部材群７とを梱包用緩衝材１に保持された状態でそれぞれ別々に分離させることができる。つまり、外建具部材群６に加えて内縦框２２及び内召合框２３を保持している梱包用緩衝材１の場合、外建具部材群６を外建具部材用テープ体２ａにて結束し、かつ梱包用緩衝材１に保持したまま、内縦框２２及び内召合框２３を分離させることができる。逆に、内建具部材群７に加えて外縦框１２及び外召合框１３を保持している梱包用緩衝材１の場合、内建具部材群７を内建具部材用テープ体２ｂにて結束し、かつ梱包用緩衝材１に保持したまま、外縦框１２及び外召合框１３を分離させることができる。したがって、外障子用の建具部材と内障子用の建具部材とを容易に判別することができる状態で作業を行うことができるので、需要家における作業性を向上させることができる。
【００２９】
図３及び図４には、中桟を有するサッシの場合における建具部材の梱包構造を示している。中桟は外障子と内障子のそれぞれにおいて、上下框間にそれらと平行となるように縦框と召合框とを横架してなるものであり、外障子用は外中桟１４であり、内障子用は内中桟２４である。この場合に、内中桟２４は図３に示すように、内上框２０及び内下框２１と平行でかつそれらに平面視において重なるように配置される。したがって、図４のように断面図で見ると、内中桟２４は内上框２０及び内下框２１の上方に配置されることになる。
【００３０】
また、外中桟１４も同様に外上框１０及び外下框１１と平行でかつそれらに平面視において重なるように配置される。そして、外中桟１４と内中桟２４はそれぞれ外建具部材群６と内建具部材群７を構成する。外建具部材群６と内建具部材群７は、相対するように配置されるので、外中桟１４と内中桟２４も、互いに端面が対向するように長手方向に連設配置されて、梱包用緩衝材１の凹状取付部３１ａにより位置決め固定されると共に、テープ体２によってさらに結束され、梱包される。
【００３１】
このようにして梱包された建具部材の梱包構造８を工場から需要家まで輸送する方法について以下説明する。この建具部材の梱包構造８は、各建具部材を再利用可能な梱包用緩衝材１とテープ体２によって位置決め固定及び結束してなるものであるので、それ以外に需要家において廃棄物となるような梱包材を用いる必要がないものである。したがって、この建具部材の梱包構造８を輸送する際には、それをそのまま積載することのできるパレット４０を用いる。図５には、この梱包構造８をパレット４０に積載した状態の斜視図を示す。
【００３２】
このパレット４０は、平面形状を長方形としたパレット基部４１に、その長手方向と略平行となるようにＸ字状に立設した支柱４２、４２を設け、さらに各支柱４２、４２に対し直角方向であって、パレット基部４１とは略平行となるように棚構成部材４３、４３を複数設けてなるものである。また、棚構成部材４３は、それぞれ突起状に形成されてなる複数の紐引掛部４４、４４を有している。棚構成部材４３は、パレット基部４１に対してそれぞれ所定の高さとなる位置に配設されており、複数の棚構成部材４３、４３が略同じ高さとなる。これにより、棚構成部材４３、４３の上部に上記建具部材の梱包構造８を戴置することができる。
【００３３】
本実施形態における建具部材の梱包構造８を用いた輸送方法は、まず上述したように建具部材を梱包用緩衝材１とテープ体２及び全結束テープ体３によって梱包し、梱包構造８を形成する。その梱包構造８をパレット４０の棚構成部材４３上に戴置する。ここで、固定バンド４６を棚構成部材４３の紐引掛部４４に引掛けることで、梱包構造８を棚構成部材４３に対して固定することができる。これを複数の固定バンド４６にて行い、梱包構造８をパレット４０に対して強固に固定しておく。
【００３４】
そして、このように再利用可能な梱包材のみからなる梱包構造８をパレット４０に戴置、固定した状態で工場から需要家まで輸送を行う。パレット基部４１の側面には、フォークリフトのフォークを差込むことのできる差込孔４５、４５が設けられており、パレット４０単位で梱包構造８を輸送することができる。需要家にて梱包構造８を解体したら、梱包に用いた梱包用緩衝材１、テープ体２、及び全結束テープ体３と、固定バンド４６及びパレット４０は、いずれも再利用可能であるから、そのまま工場に返送し、再び梱包構造８を形成するために用いることができる。
【００３５】
以上、本発明の実施形態について説明したが、本発明の適用は本実施形態には限られず、その技術的思想の範囲内において様々に適用されうるものである。
例えば、本実施形態では、引違い障子を構成する框を建具部材とした例について示したが、障子を納める枠体を建具部材としてもよい。
【図面の簡単な説明】
【００３６】
【図１】上下枠及び縦枠からなる障子の梱包構造の平面図である。
【図２】図１の梱包構造のＡ−Ａ断面図である。
【図３】上下枠と縦枠及び中桟からなる障子の梱包構造の平面図である。
【図４】図３の梱包構造のＡ−Ａ断面図である。
【図５】本実施形態の梱包構造をパレットに積載した状態の斜視図である。
【符号の説明】
【００３７】
１    梱包用緩衝材
２    テープ体
３    全結束テープ体
４    外障子構成框
５    内障子構成框
６    外建具部材群
７    内建具部材群
１０    外上框
１１    外下框
１２    外縦框
１３    外召合框
１４    外中桟
２０    内上框
２１    内下框
２２    内縦框
２３    内召合框
２４    内中桟
３０    方形板材
３１    取付部
４０    パレット
４３    棚構成部材
４６    固定バンド
【図１】
2005053566.tif 000003
【図２】
2005053566.tif 000004
【図３】
2005053566.tif 000005
【図４】
2005053566.tif 000006
【図５】
2005053566.tif 000007